(57)【要約】      （修正有）【課題】動物が上り下りするステップの取り付け位置や姿勢の自由度を高めつつ、不使用時の収納スペースを極力小さくすることのできる動物用遊戯具を提供する。【解決手段】支柱２と、この支柱２が挿通される貫通孔３ａが形成されるとともに、前記支柱２の長さ方向に間隔をおいて固定される複数のステップ３と、これらのステップ３を支柱に固定する固定手段とからなり、この固定手段が、支柱２に被嵌されるとともに、貫通孔３ａの下部内面によって支柱２に圧着される位置決め部材４によって構成されている。【選択図】図２
0003188171.tif 000002
【実用新案登録請求の範囲】
【請求項１】
支柱と、この支柱が挿通される貫通孔が形成されるとともに、前記支柱の長さ方向に間隔をおいて固定される複数のステップと、これらのステップを前記支柱に固定する固定手段とからなり、この固定手段が、前記支柱に被嵌されるとともに、前記貫通孔の下部内面によって前記支柱に圧着される位置決め部材によって構成されていることを特徴とする動物用遊戯具。
【請求項２】
前記位置決め部材が、弾性材料によって環状に形成されていることを特徴とする請求項１に記載の動物用遊戯具。
【請求項３】
前記位置決め部材の断面が、楔状に形成されていることを特徴とする請求項２に記載の動物用遊戯具。
【請求項４】
前記貫通孔の下部内面が、下方に行くにしたがい漸次拡径する傾斜面となされていることを特徴とする請求項１ないし請求項３の何れかに記載の動物用遊戯具。
【考案の詳細な説明】
【技術分野】
【０００１】
本考案は動物用遊戯具に係わり、特に、猫や小型犬等に好適に用いられる動物用遊戯具に関するものである。
【背景技術】
【０００２】
たとえば、猫や小型犬等を室内で飼う場合、ストレス解消を目的として、これらの猫や小型犬に適度な運動を行なわせる遊戯具を設置することが行なわれている。
【０００３】
このような動物用遊戯具の一例が、たとえば、特許文献１において提案されている。
この技術は、設置面と天井との間で突張り状態で設置する支柱と、ペットが載上可能な支持台とを備えて構成したペット用遊戯装置であって、前記支柱の上下方向の所定部位に前記支持台を支持可能に形成した鍔状のフランジ部に対して上記支持台を取り外し可能に固定する固定手段を備え、前記支持台に、前記支柱の太さに相当する幅を有して外周側から内側へ向けて切り欠いた切欠き溝を形成し、この切欠き溝を隠蔽可能に該切欠き溝に嵌め込む溝嵌め込み具を備えた構成としたものである。
【０００４】
そして、前記遊戯具は、前記支持台を前記支柱から水平方向に突出するようにして固定し、また、前記支持台の複数を前記支柱の長さ方向に間隔をおいて複数設置し、さらに、これらの複数の支持台を、前記支柱を中心として周方向にずらして略螺階段状に配置しておくことにより、ペットが、下方の支持台から順次上方若しくは下方の支持台へ乗り移ることにより、このペットの上り下りを可能にしている。
【先行技術文献】
【特許文献】
【０００５】
【特許文献１】特開２０１１−１０３７９７号公報
【考案の概要】
【考案が解決しようとする課題】
【０００６】
ところで、前述した遊戯具では、前記支持台を前記支柱に固定するために、この支柱に、その長さ方向に間隔をおいて多数のフランジを一体に固定しておくとともに、前記支持台を、この支持台に形成されている切り欠き溝を利用して前記支柱にその側部から挿入し、さらに、この支持台を前記フランジ上に当接させて、これらを複数のビス等によって固定する構成がとられている。
【０００７】
このような構成であると、前記螺旋階段状に配置される複数の前記支持台の、前記支柱に対する突出方向が前記ビス等の取り付けピッチによって規制されてしまうとともに、前記支持台の前記支柱の長さ方向の取り付け位置も，前記支柱に固定されているフランジの設置位置によって規制され、このために、前記複数の支持台によって形成される螺旋階段の形状が固定されてしまう。
【０００８】
そして、前述した螺旋状階段の形状によってペットの運動内容が設定される。
しかしながら、たとえば、ペットの成長に伴う体格の変化に応じてペットの運動内容を変化させる必要があるが、従来の遊戯具では、螺旋階段状の形状が固定されていることにより、前述した運動内容の変更に対応できない。
したがって、使用用途が制限されてしまう。
【０００９】
一方、前記遊戯具を片付ける場合、前記複数の支持台の切り欠き溝を多く部材を取り外した後に、前記支持台とフランジとを連結している多数のビス等を取り外してこれらの支持台を前記支柱から取り外す作業が必要となるが、その際に、取り外された多くの部品がばらばらになることから、これらの部品を紛失しないようにその保管や管理を行なう必要がある。
しかしながら、取り外された部品が細かく、かつ、部品数が多いことからその保管や管理が煩雑である。
【００１０】
また、前記フランジが前記支柱に一体に固定されていることから、収納時に前記フランジが邪魔になり、大きな収納スペースが必要となる。
【００１１】
本考案は、前述した従来の問題点に鑑みてなされたもので、動物が上り下りするステップの取り付け位置や姿勢の自由度を高めつつ、不使用時の収納スペースを極力小さくすることのできる動物用遊戯具を提供することを課題とする。
【課題を解決するための手段】
【００１２】
本考案に係わる動物用遊戯具は、前述した課題を解決するために、支柱と、この支柱が挿通される貫通孔が形成されるとともに、前記支柱の長さ方向に間隔をおいて固定される複数のステップと、これらのステップを前記支柱に固定する固定手段とからなり、この固定手段が、前記支柱に被嵌されるとともに、前記貫通孔の下部内面によって前記支柱に圧着される位置決め部材によって構成されていることを特徴とする。
【００１３】
本考案の動物用遊戯具は、まず、前記支柱に前記位置決め部材を嵌合させた後に、前記支柱を、前記ステップに形成された貫通孔に挿通し、さらに、このステップを前記支柱の長さ方向に移動させて、このステップの貫通孔の下部を前記位置決め部材の外周に当接させる。
【００１４】
このようにして前記ステップを前記位置決め部材の外周に当接させると、この位置決め部材が前記ステップと前記支柱との間で挟持され、これによって、前記ステップが前記支柱に固定される。
【００１５】
そして、前記位置決め部材は、前記支柱に被嵌されており、この位置決め部材と前記支柱との接触圧を適宜設定することにより、前記位置決め部材を前記支柱に仮止めすることができるので、この位置決め部材を目的の位置に仮止めして、前記ステップを目的の位置に固定することができる。
【００１６】
また、前述したように、前記ステップの固定を、前記支柱との間に前記位置決め部材を挟持することによって行なっていることから、前記ステップの前記支柱まわりの固定位置が制限されない。
【００１７】
このような固定操作を、複数のステップについて、前記支柱の長さ方向に間隔をおいて順次行ない、かつ、隣り合うステップを前記支柱まわりに所定角度ずらして固定することによって、これらのステップを、前記支柱を中心とした螺旋階段状に設置することができる。
【００１８】
そして、前記ステップの、前記支柱に対する長さ方向の取り付け位置、および、軸まわりの取り付け姿勢が自由であることから、前述した螺旋階段の形状も自由に設定できる。
したがって、動物の体格等に応じた形状を設定して、上り下りする動物に応じた運動内容を設定することができる。
【００１９】
一方、遊戯具を収納する際には、前記ステップを前記支柱の長さ方向に移動させ、これらのステップと前記支柱による前記位置決め部材の挟持を開放することにより、前記ステップと前記支柱との固定を解除する。
ついで、前記支柱を前記ステップから引き抜いて、前記ステップを前記支柱から取り外すことにより収納状態とする。
【００２０】
このような収納状態とした場合に、前記位置決め部材を、前記支柱に被嵌させた状態に保持することができ、したがって、前記ステップを取り外した際に、収納すべき部品は、前記支柱と前記ステップとの２部品ですむ。
しかも、これらの部品はある程度の大きさを有しているため、保管やその管理が容易である。
【００２１】
一方、前記ステップが取り外された前記支柱には、前記位置決め部材が被嵌されているが、これらの位置決め部材の外形形状が、前記ステップに形成されている貫通孔の内周面が当接させられる形状に形成されていることから、これらの位置決め部材の、前記支柱からの突出量が小さい。
したがって、前記支柱の収納スペースが小さくてすむ。
【００２２】
そして、前記位置決め部材は、好適には、弾性材料によって環状に形成される。
このような構成とすることにより、前記位置決め部材と前記支柱との接触圧を適切な値に容易に設定することができ、この支柱への仮止めを容易に行なうことができるとともに、その仮止め位置の調整を容易にする。
また、前記支柱と前記ステップとによって挟持した際に、その弾性によって適度に変形し、前記支柱と前記ステップとの間に、十分な固着力を発生させることができる。
【００２３】
また、前記位置決め部材の断面を楔状に形成することにより、前記ステップの固定時に、このステップの貫通孔の下部内周面に前記位置決め部材の外周が容易に入り込み、このステップと前記支柱とによる前記位置決め部材の挟持を円滑に行なわせることができる。
したがって、前記ステップと前記支柱との固定を、容易かつ確実に行なうことができる。
さらに、この固定を解除する際に、前記ステップの貫通孔内周面と前記位置決め部材の外周面との離脱を容易にして、前記ステップの取り外しを容易にすることができる。
【００２４】
また、前記ステップに形成される貫通孔の下部内面を、下方に行くにしたがい漸次拡径する傾斜面とすることにより、前記位置決め部材の外周面との当接および離間を容易に行なわせることができ、前記ステップの脱着を簡便なものとすることができる。
【考案の効果】
【００２５】
このように、本考案に係わる動物用遊戯具によれば、複数のステップを支柱まわりに螺旋階段状に配置して、動物の上り下りによる運動を可能にする。
そして、前記ステップの、前記支柱の長さ方向における取り付け位置や軸まわりの取り付け姿勢の制限をなくして、前述した螺旋階段の形状を任意に設定し、動物の体格やその変化に応じて運動内容を容易に変更することができる。
さらに、前記支柱と前記ステップとの固定構造を簡素化して部品点数を削減し、組み立て作業やその分解作業を簡素化することができるとともに、収納時の部品の保管管理を容易にし、かつ、その収納スペースを小さく抑えることができる。
【図面の簡単な説明】
【００２６】
【図１】本考案の一実施形態を示す外観斜視図である。
【図２】本考案の一実施形態を示すもので、支柱とステップとの固定構造を説明するための要部の拡大縦断面図である。
【図３】本考案の一実施形態を示すもので、ステップの分解斜視図である。
【図４】本考案の一実施形態を示すもので、支柱の組み立て手順を示す縦断面図である。
【考案を実施するための形態】
【００２７】
以下、本考案の一実施形態を図１ないし図４を参照して説明する。
図１において符号１は、本実施形態に係わる動物用遊戯具（以下、遊戯具と略称する）を示し、この遊戯具１は、支柱２と、この支柱２が挿通される貫通孔３ａが形成されるとともに、前記支柱２の長さ方向に間隔をおいて固定される複数のステップ３と、これらのステップ３を前記支柱に固定する固定手段Ｒ（図２参照）とからなり、この固定手段が、前記支柱２に被嵌されるとともに、前記貫通孔３ａの下部内面によって前記支柱２に圧着される位置決め部材４によって構成されている。
【００２８】
さらに詳述すれば、前記支柱２は、複数の支柱構成体２ａによって構成され、これらの複数の支柱構成体２ａを軸線方向に連結することによって、所定長さの支柱２を構成するようになっている。
【００２９】
すなわち、前記支柱構成体２ａは、鋼管等によって構成されており、たとえば、上方内部には、その軸線上にナット５が一体に取り付けられ、下方内部には、その軸線上にボルト６が、前記支柱構成体２ａの端部から突出するように固定されている。
【００３０】
そして、一方の支柱構成体２ａの前記ナット５に、他方の支柱構成体２ａの前記ボルト６を螺合することにより、複数の支柱構成体２ａが連結されて、所定長さの前記支柱２が構成されるようになっている。
【００３１】
ここで、前記支柱構成体２ａの、最も上方に位置させられる支柱構成体２ａの上部には、そのナット５を利用してキャップ７が装着されている。
【００３２】
このようにして構成される前記支柱２は、最下端に位置させられた支柱構成体２ａのボルト６によって円盤状のベースプレート８に固定されることにより、鉛直状に保持されるようになっている。
【００３３】
前記ステップ３は、本実施形態においては、コルクや集成材等を用いて円盤状に形成されており、その中心から偏倚した位置に前記貫通孔３ａが形成されている。
【００３４】
そして、前記ステップ３の上面から側面および下面の周縁部にかけて、滑り止めや装飾を兼ねた布等によって被覆されており、また、下面には、前記貫通孔３ａに装着される連結具９が、図２および図３に示すように装着されている。
【００３５】
前記連結具９は、前記貫通孔３ａ内に嵌合させられる嵌合筒１０と、この嵌合筒１０の外周に一体に取り付けられたフランジ１１とによって構成されており、前記嵌合筒１０が、前記貫通孔３ａにその下方から嵌合させられた状態において、前記フランジ１１が前記ステップ３の下面に当接させられるとともに、このフランジ１１が、ビス１２によって前記ステップ３の下面に固定されることによって、前記連結具９が前記ステップ３の下面に固定されるようになっている。
【００３６】
また、前記嵌合筒１０の内径は、前記支柱２の外径よりも若干大きく形成され、その下部は、下方に行くにしたがい漸次拡径するテーパー部１０ａとなされている。
【００３７】
前記位置決め部材４は、本実施形態においては、弾性材料によって環状に形成されているとともに、その断面が楔状に形成され、さらに、その内径が、前記支柱２の外径よりも若干小さく形成されて、この支柱２に適度な弾性をもって被嵌させられるようになっている。
【００３８】
このような構成を有する本実施形態の遊戯具１は、前記支柱構成体２ａをその長さ方向に所定本数連結して支柱２とし、この支柱２をベースプレート８に装着する。
【００３９】
ついで、図２の上部に示すように、前記支柱２の任意の位置に、前記位置決め部材４の一つを嵌め込んで、その弾性により仮止めしておき、ついで、前記支柱２の上端部から前記ステップ３の一つを、そのステップ３に装着された連結具９の嵌合筒１０に前記支柱２を嵌合させつつ装着する。
【００４０】
そして、前記ステップ３を、前記位置決め部材４と軽く接触する位置まで移動させるとともに、前記支柱２の軸まわりの位置決めを行なう。
このような位置決めが完了した後に、このステップ３を前記支柱２の軸線方向下方へ向けて下降させて、前記連結具９の嵌合筒１０のテーパー部１０ａを、前記位置決め部材４の外周に嵌合させる。
【００４１】
このような操作によって、図２の下部に示すように、前記嵌合筒１０のテーパー部１０ａの内周面が前記位置決め部材４の外周面に圧接させられるとともに、この位置決め部材４が、前記嵌合筒１０と前記支柱２との間で挟持され、これによって、前記ステップ３が前記支柱２に固定される。
【００４２】
このステップ３の固定操作を、前記支柱２の長さ方向に間隔をおいて必要回数繰り返すことにより、複数の前記ステップ３を前記支柱２に固定することができるとともに、これら複数のステップ３によって、図１に示すように、前記支柱２まわりに螺旋状の階段を構成することができる。
【００４３】
ここで、前記支柱２の長さ方向における前記ステップ３の取り付け位置は、前記位置決め部材４の装着位置によって決まり、かつ、この位置決め部材４の装着位置は、前記支柱２の長さ方向全長において任意に設定できる。
【００４４】
また、前記支柱２の軸まわりにおける前記ステップ３の取り付け姿勢は、このステップ３と前記位置決め部材４との嵌合がなされる以前においては、前記支柱２の軸まわりに全周にわたって任意に設定できる。
【００４５】
したがって、前記複数のステップ３によって形成される螺旋状の階段の形状を自由に設定することができる。
【００４６】
一方、収納時において、前記遊戯具１を分解する際には、前述した組み立て手順と逆の手順で作業を行なえばよい。
そして、分解に際して、前記複数の支柱構成体２ａを先に取り外すことにより、ばらばらになる部品は、前記支柱構成体２ａ、ステップ３、および、ベースプレート８となり、前記位置決め部材４を、前記支柱構成体２ａに装着した状態とすることが可能である。
【００４７】
したがって、分解後の各部品が比較的大きくその保管管理が容易であり、前記各支柱構成体２ａにおける突出部分も極めて小さいことから、収納スペースが小さくてすむ。
【００４８】
なお、前記実施形態において示した各構成部材の諸形状や寸法等は一例であって設計要求等に基づき種々変更可能である。
たとえば、前記位置決め部材４を弾性材料によって環状に形成した例について示したが、これに代えて、金属リングの一部に不連続部を形成したＣリングとすることも可能である。
【符号の説明】
【００４９】
１  （動物用）遊戯具
２  支柱
２ａ  支柱構成体
３  ステップ
３ａ  貫通孔
４  位置決め部材（固定手段）
５  ナット
６  ボルト
７  キャップ
８  ベースプレート
９  連結具
１０  嵌合筒
１０ａ  テーパー部
１１  フランジ
１２  ビス
【図１】
0003188171.tif 000003
【図２】
0003188171.tif 000004
【図３】
0003188171.tif 000005
【図４】
0003188171.tif 000006